(57)【要約】【課題】部品点数が少なく、ＡＦ−ＭＦ切換機構のサイズが小さいオートフォーカスカメラ用の撮影レンズを提供する。【解決手段】撮影レンズ１００において、フォーカス操作部材１２０が、撮影レンズ系１０２の光軸１１８を中心として回転可能に撮影レンズ鏡筒部１０４に設けられ、レンズマウント部１１２から遠い方の第１位置と、レンズマウント部に近い方の第２位置との間で光軸方向に移動できる。連結部材１４０が、光軸１１８を中心として回転可能に設けられ、フォーカシング機構１１０に連動する。オートフォーカスモードにおいて、フォーカス操作部材１２０の第１摩擦面は１２６ｆは連結部材１４０の第２摩擦面１４０ｆから離れる。マニュアルフォーカスモードにおいて、第１摩擦面１２６ｆは第２摩擦面１４０ｆに接触する。【選択図】　　　図１
2004069763.tif 000002
【特許請求の範囲】
【請求項１】
オートフォーカス作動及びマニュアルフォーカス操作が可能なように構成されたオートフォーカスカメラ用の撮影レンズにおいて、
被写体からの光束を結像させるための撮影レンズ系と、
該撮影レンズ系を支持するための撮影レンズ鏡筒部と、
前記撮影レンズ系を合焦させるためのフォーカシング機構と、
前記撮影レンズ鏡筒部をカメラボディに取り付けるためのレンズマウント部と、
前記撮影レンズ系の光軸を中心として回転可能に前記撮影レンズ鏡筒部に設けられ、かつ、前記レンズマウント部から遠い方の第１位置と、前記レンズマウント部に近い方の第２位置との間で前記光軸方向に移動可能なように構成されたフォーカス操作部材とを備え、第１摩擦面が前記フォーカス操作部材に設けられており、
前記光軸を中心として回転可能に設けられ、かつ、前記フォーカシング機構に連動するように構成された連結部材を備え、第２摩擦面が前記連結部材に設けられており、
オートフォーカスモードにおいて、前記フォーカス操作部材を前記第１位置に配置させたときに、前記第１摩擦面は前記第２摩擦面から離れるようになっており、
マニュアルフォーカスモードにおいて、前記フォーカス操作部材を前記第２位置に配置させたときに、前記第１摩擦面は前記第２摩擦面に接触するように構成されており、
マニュアルフォーカスモードにおいて、前記第１摩擦面を、前記光軸方向に前記レンズマウント部に向かって前記第２摩擦面に対して付勢するための付勢部材を備え、
それによって、マニュアルフォーカスモードにおいて、前記フォーカス操作部材を前記第２位置に配置させたときに、前記フォーカス操作部材を回転させることにより、前記フォーカシング機構が作動するように構成されている、
ことを特徴とする撮影レンズ。
【請求項２】
前記第１摩擦面及び前記第２摩擦面は、前記光軸に直交するように形成されることを特徴とする、請求項１記載の撮影レンズ。
【請求項３】
前記第１摩擦面及び前記第２摩擦面は、前記光軸に傾斜するように形成されることを特徴とする、請求項１記載の撮影レンズ。
【請求項４】
前記第１摩擦面及び／又は前記第２摩擦面は、ゴムで形成されることを特徴とする、請求項１から請求項３のいずれか１項に記載の撮影レンズ。
【請求項５】
前記付勢部材は、ボールと、該ボールに接触する斜面部と、前記ボールを加圧するための加圧ばねとを含み、マニュアルフォーカスモードにおいて、前記加圧ばねは前記ボールを前記斜面部に加圧して、前記第１摩擦面を、前記レンズマウント部に向かって前記光軸方向に付勢するように構成される、請求項１から請求項４のいずれか１項に記載の撮影レンズ。
【発明の詳細な説明】
【０００１】
【発明の属する技術分野】
本発明は、オートフォーカスカメラ用の撮影レンズに関する。特に、本発明は、少ない部品で確実に作動するオートフォーカス・マニュアルフォーカス切換機構を備えた、オートフォーカスカメラ用の撮影レンズに関する。
【０００２】
【従来の技術】
以下に、従来のオートフォーカスカメラ用の撮影レンズについて、代表的な３タイプの構造と作用を説明する。
（１）第１のタイプの撮影レンズ
第１のタイプのオートフォーカスカメラ用の撮影レンズが、特許第３１２０８９５号公報に開示されている。この撮影レンズのレンズ鏡筒においては、レンズ鏡筒は、フォーカス環と、ＡＦ−ＭＦ（オートフォーカス・マニュアルフォーカス）切換環とを備える。クラッチ機構がフォーカス環とＡＦ−ＭＦ切換環との間に設けられる。小径部がＡＦ−ＭＦ切換環に設けられる。フォーカス環には、クラッチピンが摺動自在に嵌められている。板ばねがクラッチピンを外方に押すよう設けられる。オートフォーカスモード、すなわちＡＦモードにおいて、ＡＦ−ＭＦ切換環を撮影レンズの光軸方向にカメラボディから遠い方の位置に移動させると、クラッチピンはＡＦ−ＭＦ切換環から離れるようになっている。この状態では、フォーカス環を回転させても、ＡＦ−ＭＦ切換環は回転せず、したがって、フォーカシング機構は作動しない。一方、マニュアルフォーカスモード、すなわちＭＦモードにおいて、ＡＦ−ＭＦ切換環を撮影レンズの光軸方向にカメラボディに近い方の位置に移動させると、クラッチピンはＡＦ−ＭＦ切換環の小径部に接触するようになっている。この状態で、フォーカス環を回転させると、ＡＦ−ＭＦ切換環も回転し、したがって、フォーカシング機構を作動させることができる。
【０００３】
（２）第２のタイプの撮影レンズ
第２のタイプのオートフォーカスカメラ用の撮影レンズにおいて、レンズ鏡筒は、ＭＦモードにおいて撮影レンズのフォーカシング機構を作動させるためのフォーカス操作リングと、フォーカス操作リングと一体に設けられたＡＦ−ＭＦ切換リングを備える。ＡＦ−ＭＦ切換リングには、リング状に切換用くし歯が設けられている。ＡＦモードにおいて、ＡＦ−ＭＦ切換リングを撮影レンズの光軸方向にカメラボディから遠い方の位置に移動させると、切換用くし歯は作動用くし歯から離れるようになっている。この状態では、フォーカス操作リングを回転させても、作動リングは回転せず、したがって、フォーカシング機構は作動しない。一方、ＭＦモードにおいて、ＡＦ−ＭＦ切換リングを撮影レンズの光軸方向にカメラボディに近い方の位置に移動させると、切換用くし歯は作動用くし歯に噛み合うようになっている。この状態で、フォーカス操作リングを回転させると、作動リングも回転し、したがって、フォーカシング機構を作動させることができる。
【０００４】
（３）第３のタイプの撮影レンズ
第３のタイプのオートフォーカスカメラ用の撮影レンズにおいて、レンズ鏡筒は、ＭＦモードにおいて撮影レンズのフォーカシング機構を作動させるためのフォーカス操作リングと、フォーカス操作リングと一体に設けられたＡＦ−ＭＦ切換リングを備える。ＡＦ−ＭＦ切換リングには、リング状に切換用くし歯が設けられている。また、フォーカシング機構に設けられた作動リングには、撮影レンズの光軸方向に移動可能な作動用ピンが設けられている。押しばねが作動用ピンを撮影レンズの光軸方向にカメラボディから遠い方の位置に向かって押すように配置されている。ＡＦモードにおいて、ＡＦ−ＭＦ切換リングを撮影レンズの光軸方向にカメラボディから遠い方の位置に移動させると、切換用くし歯は作動用ピンから離れるようになっている。この状態では、フォーカス操作リングを回転させても、作動リングは回転せず、したがって、フォーカシング機構は作動しない。一方、ＭＦモードにおいて、ＡＦ−ＭＦ切換リングを撮影レンズの光軸方向にカメラボディに近い方の位置に移動させると、切換用くし歯は作動用ピンに接触し、そして、作動用ピンは切換用くし歯の溝の中に入るようになっている。この状態で、フォーカス操作リングを回転させると、作動リングも回転し、したがって、フォーカシング機構を作動させることができる。
【０００５】
【発明が解決しようとする課題】
（１）従来の第１のタイプの撮影レンズの課題
従来の第１のタイプの撮影レンズの構造は、ＡＦ−ＭＦ切換環と、フォーカス環と、クラッチピンとを用いているので、部品点数が多く、ＡＦ−ＭＦ切換機構のサイズが大きくなる課題があった。
【０００６】
（２）従来の第２のタイプの撮影レンズの課題
従来の第２のタイプの撮影レンズにおいては、ＡＦモードからＭＦモードに切り換えるとき、ＡＦ−ＭＦ切換リングを撮影レンズの光軸方向にカメラボディに近い方の位置に移動させると、切換用くし歯の先端部が作動用くし歯の先端部に接触し、ＡＦ−ＭＦ切換リングをＭＦモードにおける所定位置まで移動させることができないおそれがあった。この状態で、フォーカスリングを回転させても、作動リングは回転せず、したがって、フォーカシング機構を作動させることはできない課題があった。
【０００７】
（３）従来の第３のタイプの撮影レンズの課題
従来の第３のタイプの撮影レンズにおいては、ＡＦモードからＭＦモードに切り換えるとき、ＡＦ−ＭＦ切換リングを撮影レンズの光軸方向にカメラボディに近い方の位置に移動させると、切換用くし歯は作動用ピンに接触するので、迅速な切り換え操作ができないおそれがあった。また、この構造は、部品点数が多く、ＡＦ−ＭＦ切換機構のサイズが大きくなる課題があった。
【０００８】
【発明の目的】
そこで、本発明の目的は、部品点数が少ないオートフォーカスカメラ用撮影レンズを提供することにある。
また、本発明の他の目的は、ＡＦ−ＭＦ切換機構のサイズが小さいオートフォーカスカメラ用撮影レンズを提供することにある。
さらに、本発明の他の目的は、フォーカス操作部材をＡＦモードにおける位置からＭＦモードにおける位置まで迅速かつ確実に移動させることができるように構成されたオートフォーカスカメラ用撮影レンズを提供することにある。
【０００９】
【課題を解決するための手段】
本発明は、オートフォーカス作動及びマニュアルフォーカス操作が可能なように構成されたオートフォーカスカメラ用の撮影レンズにおいて、被写体からの光束を結像させるための撮影レンズ系と、撮影レンズ系を支持するための撮影レンズ鏡筒部と、撮影レンズ系を合焦させるためのフォーカシング機構と、撮影レンズ鏡筒部をカメラボディに取り付けるためのレンズマウント部とを備えるように構成した。上記撮影レンズは、更に、撮影レンズ系の光軸を中心として回転可能に撮影レンズ鏡筒部に設けられ、かつ、レンズマウント部から遠い方の第１位置と、レンズマウント部に近い方の第２位置との間で光軸方向に移動可能なように構成されたフォーカス操作部材を備え、第１摩擦面がフォーカス操作部材に設けられている。上記撮影レンズは、更に、光軸を中心として回転可能に設けられ、かつ、フォーカシング機構に連動するように構成された連結部材を備え、第２摩擦面が連結部材に設けられている。
【００１０】
上記撮影レンズは、オートフォーカスモードにおいて、フォーカス操作部材を第１位置に配置させたときに、第１摩擦面は前記第２摩擦面から離れるようになっており、マニュアルフォーカスモードにおいて、フォーカス操作部材を第２位置に配置させたときに、第１摩擦面は第２摩擦面に接触するように構成されている。上記撮影レンズは、更に、マニュアルフォーカスモードにおいて、第１摩擦面を、光軸方向にレンズマウント部に向かって第２摩擦面に対して付勢するための付勢部材を備え、それによって、マニュアルフォーカスモードにおいて、フォーカス操作部材を第２位置に配置させたときに、フォーカス操作部材を回転させることにより、フォーカシング機構が作動するように構成されている。この構成により、撮影レンズの部品点数を少なくすることができ、ＡＦ−ＭＦ切換機構のサイズを小さくすることができる。
【００１１】
本発明の撮影レンズにおいて、第１摩擦面及び第２摩擦面は、光軸に直交するように形成されるのが好ましい。本発明の撮影レンズにおいて、第１摩擦面及び第２摩擦面は、光軸に傾斜するように形成してもよい。
本発明の撮影レンズにおいて、第１摩擦面及び／又は第２摩擦面は、ゴムで形成されるのが好ましい。この構成により、マニュアルフォーカスモードにおいて、第１摩擦面と第２摩擦面とを、確実に密着させることができる。また、フォーカス操作部材を第２位置に移動させたとき、第１摩擦面と第２摩擦面が当たるときに生じる音の大きさを小さくすることができる。すなわち、この構成により、第１摩擦面と第２摩擦面が当たるときに発生する金属音をなくすことができる。本発明の撮影レンズにおいて、付勢部材は、ボールと、ボールに接触する斜面部と、ボールを加圧するための加圧ばねとを含み、マニュアルフォーカスモードにおいて、加圧ばねはボールを斜面部に加圧して、第１摩擦面を、レンズマウント部に向かって光軸方向に付勢するように構成されるのが好ましい。この構成により、マニュアルフォーカスモードにおいて、第１摩擦面と第２摩擦面とを、充分な摩擦力により確実に密着させることができる。
【００１２】
【発明の効果】
本発明は、オートフォーカスカメラ用撮影レンズにおいて、上記構成としたことにより、撮影レンズの部品点数を少なくすることができ、ＡＦ−ＭＦ切換機構のサイズを小さくすることができる。
さらに、本発明により、オートフォーカスカメラ用撮影レンズにおいて、フォーカス操作部材をＡＦモードにおける位置からＭＦモードにおける位置まで迅速かつ確実に移動させることができる。
【００１３】
【発明の実施の形態】
以下に、本発明の実施の形態を図面に基づいて説明する。
（１）第１の実施の形態
（１・１）撮影レンズの構造
次に、本発明のオートフォーカスカメラ用の撮影レンズの第１の実施の形態において、撮影レンズの構造を説明する。
図１を参照すると、オートフォーカスモードにおいて、オートフォーカスカメラ用の撮影レンズ１００は、オートフォーカス作動及びマニュアルフォーカス操作が可能なように構成されている。撮影レンズ１００は、被写体からの光束を結像させるための撮影レンズ系１０２と、撮影レンズ系１０２を支持するための撮影レンズ鏡筒部１０４と、撮影レンズ系１０２を合焦させるためのフォーカシング機構１１０と、撮影レンズ鏡筒部１０４をカメラボディ（図示せず）に取り付けるためのレンズマウント部１１２とを備える。撮影レンズ鏡筒部１０４は内筒１１４及び外筒１１６を含む。
【００１４】
本明細書において、「前方」とは、撮影レンズ１００においてレンズマウント部１１２に向かう方向と反対の方向を示し、「後方」とは、撮影レンズ１００においてレンズマウント部１１２に向かう方向を示す。
【００１５】
図１及び図２を参照すると、フォーカス操作部材１２０は、フォーカスリング１２２と、フォーカスリング１２２の一部分の外周部に固定されたフォーカス操作リング１２４と、フォーカスリング１２２の他の一部分に固定されたＡＦ−ＭＦ切換リング１２６とを含む。クリック受環１３０が外筒１１６に固定される。フォーカスリング１２２は、光軸１１８を中心としてクリック受環１３０の外周部に対して回転可能であり、かつ、光軸１１８の方向に移動可能なように構成される。ＡＦ−ＭＦ切換リング１２６は、フォーカスリング１２２の一部分の外側に位置する外円筒部１２６ｂと、クリック受環１３０の一部分の内側に位置する内円筒部１２６ｃと、外円筒部１２６ｂと内円筒部１２６ｃとを連結する前方端面部１２６ｄとを含む。
【００１６】
第１摩擦面１２６ｆがＡＦ−ＭＦ切換リング１２６の内円筒部１２６ｃの後方の端面に設けられる。第１摩擦面１２６ｆは光軸１１８に傾斜するように形成される。すなわち、第１摩擦面１２６ｆは、截頭円錐形状に形成される。第１摩擦面１２６ｆの截頭円錐形状の頂角は、６０度〜１２０度であるのが好ましく、８０度〜１００度であるのが一層好ましく、９０度であるのがなお一層好ましい。第１摩擦面１２６ｆは、クリック受環１３０の内側に配置される。
【００１７】
連結部材１４０が、光軸１１８を中心として回転可能に設けられる。連結部材１４０はフォーカシング機構１１０に連動するように構成される。第２摩擦面１４０ｆが連結部材１４０の前方の端面に設けられる。第２摩擦面１４０ｆは光軸１１８に傾斜するように形成される。すなわち、第２摩擦面１４０ｆは、截頭円錐形状に形成される。第２摩擦面１４０ｆの截頭円錐形状の頂角は、６０度〜１２０度であるのが好ましく、８０度〜１００度であるのが一層好ましく、９０度であるのが、なお一層好ましい。第２摩擦面１４０ｆは、クリック受環１３０の内側に配置される。第２摩擦面１４０ｆの截頭円錐形状の頂角は、第１摩擦面１２６ｆの截頭円錐形状の頂角と等しくなるように形成されるのが好ましい。第２摩擦面１４０ｆは、第１摩擦面１２６ｆから離れるように配置される。
【００１８】
例えば、第１摩擦面１２６ｆの小径部の直径はφ６９ｍｍであり、第１摩擦面１２６ｆの大径部の直径はφ７１．８ｍｍであり、第１摩擦面１２６ｆの斜面長さは１．７ｍｍである。例えば、第２摩擦面１４０ｆの小径部の直径はφ６９ｍｍであり、第２摩擦面１４０ｆの大径部の直径はφ７１．８ｍｍであり、第２摩擦面１４０ｆの斜面長さは１．７ｍｍである。
【００１９】
摩擦係数を大きくするために、第１摩擦面１２６ｆ及び／又は第２摩擦面１４０ｆに笠歯歯車のような放射方向の複数の溝を設けることができる。或いは、摩擦係数を大きくするために、第１摩擦面１２６ｆ及び／又は第２摩擦面１４０ｆにこぶのような複数の突起部を設けることができる。例えば、第１摩擦面１２６ｆはゴムのような材料で形成するのがよい。例えば、第２摩擦面１４０ｆはポリカーボネートのような材料で形成するのがよい。第１摩擦面１２６ｆをＡＦ−ＭＦ切換リング１２６と一体に形成してもよいし、ＡＦ−ＭＦ切換リング１２６を形成する材料と別個の材料で第１摩擦面１２６ｆを含む第１摩擦部材を形成し、次いで、接着などにより第１摩擦部材をＡＦ−ＭＦ切換リング１２６に固定してもよい。同様に、第２摩擦面１４０ｆを連結部材１４０と一体に形成してもよいし、連結部材１４０を形成する材料と別個の材料で第２摩擦面１４０ｆを含む第２摩擦部材を形成し、次いで、接着などにより第２摩擦部材を連結部材１４０に固定してもよい。
【００２０】
前方に配置されたリング状の第１溝部１３２と、第１溝部１３２の後方に配置されたリング状の第２溝部１３４とが、クリック受環１３０の外周部に設けられる。第１溝部１３２は、第１前方斜面部１３２ａと、第１底部１３２ｂと、第１後方斜面部１３２ｃとを含む。第１前方斜面部１３２ａと、第１後方斜面部１３２ｃとが作る開角は、１１０度〜１３０度であるのが好ましい。第２溝部１３４は、第２前方斜面部１３４ａと、第２底部１３４ｂと、第２後方斜面部１３４ｃとを含む。第２前方斜面部１３４ａと、第２後方斜面部１３４ｃとが作る開角は、１１０度〜１３０度であるのが好ましい。
【００２１】
クリックボール１５０を案内するためのボール穴１２２ｃと、フォーカスリング１２２の位置を決めるための位置決め部１２２ｄとがフォーカスリング１２２に設けられる。クリックボール１５０をクリック受環１３０の外周部に加圧するための加圧ばね１５２が、加圧ばね止めねじ１５４を用いてフォーカスリング１２２の外周部に固定される。クリックボール１５０はボール穴１２２ｃに配置され、第１溝部１３２の第１後方斜面部１３２ｃに押しつけられる。加圧ばね１５２の弾性力により、クリックボール１５０が第１後方斜面部１３２ｃを押し、フォーカスリング１２２を前方に向かって移動させるような力を生じさせる。
【００２２】
突当部材１５６がクリック受環１３０の前方の外周部に設けられる。フォーカスリング１２２の位置決め部１２２ｄが突当部材１５６に接触することにより、フォーカスリング１２２の前方に向かう移動を止めて、フォーカスリング１２２を位置決めすることができるように構成される。クリックボール１５０と、第１後方斜面部１３２ｃと、加圧ばね１５２とは、フォーカスリング１２２を付勢する付勢部材を構成する。クリックボール１５０と、加圧ばね１５２と、加圧ばね止めねじ１５４は、１組設けてもよいし、複数組設けてもよい。例えば、クリックボール１５０と、加圧ばね１５２と、加圧ばね止めねじ１５４は、３組設けるのが好ましい。
フォーカシング機構１１０を作動させるためのモータを撮影レンズ内に備えるタイプのオートフォーカスカメラ用の撮影レンズにおいては、マニュアルフォーカスモードにおいて、モータの出力軸の回転をフォーカシング機構１１０伝達する伝達機構の中に設けられたクラッチ（図示せず）を外すように構成するのがよい。クラッチを作動させる機構は、フォーカスリング１２２の移動に連動するように構成するのがよい。
【００２３】
（１・２）撮影レンズの作用
（１・２・１）オートフォーカスモード
次に、本発明のオートフォーカスカメラ用の撮影レンズの第１の実施の形態において、オートフォーカスモードにおける撮影レンズの作用を説明する。
図１及び図２を参照すると、オートフォーカスモードにおいて、フォーカス操作部材１２０（すなわち、フォーカスリング１２２、フォーカス操作リング１２４、ＡＦ−ＭＦ切換リング１２６）を、レンズマウント部１１２から遠い方の第１位置（すなわち、前方の位置）に移動させると、フォーカスリング１２２の位置決め部１２２ｄが突当部材１５６に接触することにより、フォーカスリング１２２の前方に向かう移動が制限され、フォーカスリング１２２が位置決めされる。この状態では、第２摩擦面１４０ｆは、第１摩擦面１２６ｆから離れている。したがって、オートフォーカスモードにおいて、フォーカス操作部材１２０を回転させても、連結部材１４０は回転しない。すなわち、オートフォーカスモードにおいて、フォーカス操作部材１２０を回転させても、フォーカシング機構１１０を作動させることはできない。
【００２４】
（１・２・２）マニュアルフォーカスモード
次に、本発明のオートフォーカスカメラ用の撮影レンズの第１の実施の形態において、マニュアルフォーカスモードにおける撮影レンズの作用を説明する。
図３を参照すると、マニュアルフォーカスモードにおいて、フォーカス操作部材１２０（すなわち、フォーカスリング１２２、フォーカス操作リング１２４、ＡＦ−ＭＦ切換リング１２６）を、レンズマウント部１１２に近い方の第２位置（すなわち、後方の位置）に移動させると、第１摩擦面１２６ｆが第２摩擦面１４０ｆに接触することにより、フォーカスリング１２２の後方に向かう移動が制限され、フォーカスリング１２２が位置決めされる。この状態では、第１摩擦面１２６ｆと第２摩擦面１４０ｆは、ぴったりと密着している。この状態では、加圧ばね１５２はボール１５０を第２前方斜面部１３４ａに加圧して、第１摩擦面１２６ｆを第２摩擦面１４０ｆに対して、レンズマウント部１１２に向かって（すなわち、後方に向かって）、光軸方向１１８に付勢する。例えば、この付勢力は４５０ｇ〜５５０ｇであるのがよい。
【００２５】
したがって、マニュアルフォーカスモードにおいて、フォーカス操作部材１２０を第２位置に配置させたときに、フォーカス操作部材１２０を回転させることにより、連結部材１４０は回転し、フォーカシング機構１１０が作動する。この構成では、第１摩擦面１２６ｆと第２摩擦面１４０ｆは截頭円錐形状に形成されているので、オートフォーカスモードからマニュアルフォーカスモードに切り換えると、第１摩擦面１２６ｆと第２摩擦面１４０ｆが迅速に連結される。したがって、マニュアルフォーカスモードに切り換えて、フォーカス操作部材１２０を回転させることにより、直ちにフォーカシング機構１１０を作動させることができる。
【００２６】
フォーカシング機構１１０を作動させるためのモータをカメラボディ内に備えるタイプのオートフォーカスカメラ用の撮影レンズにおいては、マニュアルフォーカスモードにおいて、カメラボディの切換スイッチをマニュアルフォーカスモードに切り換える必要がある。フォーカシング機構１１０を作動させるためのモータを撮影レンズ内に備えるタイプのオートフォーカスカメラ用の撮影レンズにおいては、マニュアルフォーカスモードにおいて、モータの出力軸の回転を伝達する伝達機構の中に設けられたクラッチが外れる。
【００２７】
（２）第２の実施の形態
次に、本発明のオートフォーカスカメラ用の撮影レンズの第２の実施の形態を説明する。以下の説明は、本発明のオートフォーカスカメラ用の撮影レンズの第２の実施形態が本発明のオートフォーカスカメラ用の撮影レンズの第１の実施形態と異なる点を主に述べる。したがって、以下に記載がない個所は、前述した本発明のオートフォーカスカメラ用の撮影レンズの第１の実施形態についての説明をここに準用する。
【００２８】
（２・１）撮影レンズの構造
次に、本発明のオートフォーカスカメラ用の撮影レンズの第１の実施の形態において、撮影レンズの構造を説明する。
図４を参照すると、オートフォーカスモードにおいて、オートフォーカスカメラ用の撮影レンズ２００は、被写体からの光束を結像させるための撮影レンズ系２０２と、撮影レンズ系２０２を支持するための撮影レンズ鏡筒部２０４と、撮影レンズ系２０２を合焦させるためのフォーカシング機構２１０と、撮影レンズ鏡筒部２０４をカメラボディ（図示せず）に取り付けるためのレンズマウント部（図示せず）とを備える。撮影レンズ鏡筒部２０４は内筒２１４と、外筒２１６と、固定筒２３６と、外装部材２３８とを含む。
【００２９】
フォーカス操作部材２２０は、フォーカスリング２２２と、フォーカスリング２２２の一部分の外周部に固定されたクリック受環２３０と、フォーカスリング２２２の一部分の内周部に配置された第１連結部材２２６と、第１連結部材２２６をフォーカスリング２２２に対して固定するための取付部材２２８とを含む。フォーカスリング２２２は、光軸２１８を中心として外筒２１６の外周部に対して回転可能であり、かつ、光軸２１８の方向に移動可能なように構成される。第１連結部材２２６は、例えば、ＮＢＲ、ＮＥのようなゴムで形成されるのがよい。クリック受環２３０は、光軸２１８を中心として外装部材２１８の内周部に対して回転可能であり、かつ、フォーカスリング２２２と一体となって光軸２１８の方向に移動可能なように構成される。
第１摩擦面２２６ｆが第１連結部材２２６の後方の端面に設けられる。第１摩擦面２２６ｆは光軸２１８に傾斜するように形成される。すなわち、第１摩擦面２２６ｆは、截頭円錐形状に形成される。第１摩擦面２２６ｆの截頭円錐形状の頂角は、６０度〜１２０度であるのが好ましく、８０度〜１００度であるのが一層好ましく、９０度であるのがなお一層好ましい。
【００３０】
第２連結部材２４０が、光軸２１８を中心として回転可能に設けられる。第２連結部材２４０はフォーカシング機構２１０に連動するように構成される。第２摩擦面２４０ｆが第２連結部材２４０の前方の端面に設けられる。第２摩擦面２４０ｆは光軸２１８に傾斜するように形成される。すなわち、第２摩擦面２４０ｆは、截頭円錐形状に形成される。第２摩擦面２４０ｆの截頭円錐形状の頂角は、６０度〜１２０度であるのが好ましく、８０度〜１００度であるのが一層好ましく、９０度であるのが、なお一層好ましい。第２摩擦面２４０ｆの截頭円錐形状の頂角は、第１摩擦面２２６ｆの截頭円錐形状の頂角と等しくなるように形成されるのが好ましい。第２摩擦面２４０ｆは、第１摩擦面２２６ｆから離れるように配置される。例えば、第２摩擦面２４０ｆはポリカーボネートのような材料で形成するのがよい。第２摩擦面２４０ｆを第２連結部材２４０と一体に形成してもよいし、第２連結部材２４０を形成する材料と別個の材料で第２摩擦面２４０ｆを含む第２摩擦部材を形成し、次いで、接着などにより第２摩擦部材を第２連結部材２４０に固定してもよい。
【００３１】
前方に配置されたリング状の第１溝部２３２と、第１溝部２３２の後方に配置されたリング状の第２溝部２３４とが、クリック受環２３０の内周部に設けられる。第１溝部２３２は、第１前方斜面部２３２ａと、第１底部２３２ｂと、第１後方斜面部２３２ｃとを含む。第１前方斜面部２３２ａと、第１後方斜面部２３２ｃとが作る開角は、１１０度〜１３０度であるのが好ましい。第２溝部２３４は、第２前方斜面部２３４ａと、第２底部２３４ｂと、第２後方斜面部２３４ｃとを含む。第２前方斜面部２３４ａと、第２後方斜面部２３４ｃとが作る開角は、１１０度〜１３０度であるのが好ましい。
【００３２】
クリックボール部材２５０が固定筒２３６に固定される。クリックボール部材２５０は、クリックばね２５２と、クリックばね２５２の先端部に配置された半球状のクリックボール２５４とを含む。クリックばね２５２とクリックボール２５４は一体に成形しても良いし、或いは、クリックばね２５２とクリックボール２５４を別個に製造して、次に、接着などにより、クリックばね２５２とクリックボール２５４を一体にしてもよい。クリックばね２５２の基端部は、固定筒２３６の外側に固定される。クリックボール２５４は第２溝部２３４の第２前方斜面部２３４ａに押しつけられる。クリックばね２５２の弾性力により、クリックボール２５４が第２前方斜面部２３４ａを押し、クリック受環２３０を前方に向かって移動させるような力を生じさせる。第１連結部材２２６の前方の端面が固定筒２３６の後方の端面に接触することにより、フォーカスリング２２２の前方に向かう移動を止めて、フォーカスリング２２２を位置決めすることができるように構成される。クリックボール部材２５０と、第２前方斜面部２３４ａとは、フォーカスリング２２２を付勢する付勢部材を構成する。クリックボール部材２５０は、１個設けてもよいし、複数個設けてもよい。例えば、クリックボール部材２５０は、３個設けるのが好ましい。
【００３３】
フォーカシング機構２１０を作動させるためのモータを撮影レンズ内に備えるタイプのオートフォーカスカメラ用の撮影レンズにおいては、マニュアルフォーカスモードにおいて、モータの出力軸の回転をフォーカシング機構２１０に伝達する伝達機構の中に設けられたクラッチ（図示せず）を外すように構成するのがよい。クラッチを作動させる機構は、フォーカスリング２２２の移動に連動するように構成するのがよい。
【００３４】
（２・２）撮影レンズの作用
（２・２・１）オートフォーカスモード
次に、本発明のオートフォーカスカメラ用の撮影レンズの第２の実施の形態において、オートフォーカスモードにおける撮影レンズの作用を説明する。
図４を参照すると、オートフォーカスモードにおいて、フォーカス操作部材２２０（すなわち、フォーカスリング２２２、クリック受環２３０、第１連結部材２２６、取付部材２２８）を、レンズマウント部から遠い方の第１位置（すなわち、前方の位置）に移動させると、第１連結部材２２６の前方の端面が固定筒２３６の後方の端面に接触することにより、フォーカスリング２２２の前方に向かう移動が制限され、フォーカスリング２２２が位置決めされる。この状態では、第２摩擦面２４０ｆは、第１摩擦面２２６ｆから離れている。したがって、オートフォーカスモードにおいて、フォーカス操作部材２２０を回転させても、第２連結部材２４０は回転しない。すなわち、オートフォーカスモードにおいて、フォーカス操作部材２２０を回転させても、フォーカシング機構２１０を作動させることはできない。
【００３５】
（２・２・２）マニュアルフォーカスモード
次に、本発明のオートフォーカスカメラ用の撮影レンズの第２の実施の形態において、マニュアルフォーカスモードにおける撮影レンズの作用を説明する。
図５を参照すると、マニュアルフォーカスモードにおいて、フォーカス操作部材２２０（すなわち、フォーカスリング２２２、クリック受環２３０、第１連結部材２２６、取付部材２２８）を、レンズマウント部に近い方の第２位置（すなわち、後方の位置）に移動させると、第１摩擦面２２６ｆが第２摩擦面２４０ｆに接触することにより、フォーカスリング２２２の後方に向かう移動が制限され、フォーカスリング２２２が位置決めされる。この状態では、第１摩擦面２２６ｆと第２摩擦面２４０ｆは、ぴったりと密着している。この状態では、クリックボール部材２５０のクリックばね２５２の弾性力により、クリックボール２５４を第１前方斜面部２３２ａに加圧する。この加圧力により、第１摩擦面２２６ｆを第２摩擦面２４０ｆに対して、レンズマウント部に向かって（すなわち、後方に向かって）、光軸方向２１８に付勢する。例えば、この付勢力は４５０ｇ〜５５０ｇであるのがよい。
【００３６】
第１連結部材２２６をゴムで形成することにより、フォーカス操作部材２２０を第２位置に移動させたとき、第１摩擦面２２６ｆと第２摩擦面２４０ｆは確実に密着し、第１連結部材２２６と第２連結部材２４０は確実に連動する。また、第１連結部材２２６をゴムで形成することにより、フォーカス操作部材２２０を第２位置に移動させたとき、第１摩擦面２２６ｆと第２摩擦面２４０ｆが当たるときに生じる音の大きさを小さくすることができる。すなわち、この構成により、第１摩擦面２２６ｆと第２摩擦面２４０ｆが当たるときに発生する金属音をなくすことができる。
【００３７】
マニュアルフォーカスモードにおいて、フォーカス操作部材２２０を第２位置に配置させたときに、フォーカス操作部材２２０を回転させることにより、第２連結部材２４０は回転し、フォーカシング機構２１０が作動する。この構成では、第１摩擦面２２６ｆと第２摩擦面２４０ｆは截頭円錐形状に形成されているので、オートフォーカスモードからマニュアルフォーカスモードに切り換えると、第１摩擦面２２６ｆと第２摩擦面２４０ｆが迅速に連結される。したがって、マニュアルフォーカスモードに切り換えて、フォーカス操作部材２２０を回転させることにより、直ちにフォーカシング機構２１０を作動させることができる。
【００３８】
（３）第３の実施の形態
次に、本発明のオートフォーカスカメラ用の撮影レンズの第３の実施の形態を説明する。以下の説明は、本発明のオートフォーカスカメラ用の撮影レンズの第３の実施形態が本発明のオートフォーカスカメラ用の撮影レンズの第１の実施形態と異なる点を主に述べる。したがって、以下に記載がない個所は、前述した本発明のオートフォーカスカメラ用の撮影レンズの第１の実施形態についての説明をここに準用する。
図６を参照すると、撮影レンズ３００において、フォーカス操作部材３２０は、フォーカスリング１２２と、フォーカスリング１２２の一部分の外周部に固定されたフォーカス操作リング１２４と、フォーカスリング１２２の他の一部分に固定されたＡＦ−ＭＦ切換リング３２６とを含む。ＡＦ−ＭＦ切換リング３２６は、フォーカスリング１２２の一部分の外側に位置する外円筒部３２６ｂと、クリック受環１３０の一部分の内側に位置する内円筒部３２６ｃと、外円筒部３２６ｂと内円筒部３２６ｃとを連結する前方端面部３２６ｄとを含む。
【００３９】
第１摩擦面３２６ｆがＡＦ−ＭＦ切換リング３２６の内円筒部３２６ｃの後方の端面に設けられる。第１摩擦面３２６ｆは光軸１１８に直交するように形成される。連結部材３４０が、光軸１１８を中心として回転可能に設けられる。連結部材３４０はフォーカシング機構１１０に連動するように構成される。第２摩擦面３４０ｆが連結部材３４０の前方の端面に設けられる。第２摩擦面３４０ｆは光軸１１８に直交するように形成される。
オートフォーカスモードにおいて、第２摩擦面３４０ｆは、第１摩擦面３２６ｆから離れるように配置される。オートフォーカスモードからマニュアルフォーカスモードに切り換えると、第１摩擦面３２６ｆと第２摩擦面３４０ｆが迅速に連結される。マニュアルフォーカスモードに切り換えて、フォーカス操作部材３２０を回転させることにより、直ちにフォーカシング機構を作動させることができる。マニュアルフォーカスモードにおいて、第１摩擦面３２６ｆを第２摩擦面３４０ｆに対して付勢する付勢力は、例えば、４５０ｇ〜５５０ｇであるのがよい。
【００４０】
例えば、第１摩擦面３２６ｆの内径はφ６９ｍｍであり、第１摩擦面３２６ｆの外径はφ７１．８ｍｍである。例えば、第２摩擦面３４０ｆの内径はφ６９ｍｍであり、第２摩擦面３４０ｆの外径はφ７１．８ｍｍである。摩擦係数を大きくするために、第１摩擦面３２６ｆ及び／又は第２摩擦面３４０ｆに笠歯歯車のような放射方向の複数の溝を設けることができる。或いは、摩擦係数を大きくするために、第１摩擦面３２６ｆ及び／又は第２摩擦面３４０ｆにこぶのような複数の突起部を設けることができる。例えば、第１摩擦面３２６ｆはゴムのような材料で形成するのがよい。例えば、第２摩擦面３４０ｆはポリカーボネートのような材料で形成するのがよい。第１摩擦面３２６ｆをＡＦ−ＭＦ切換リング３２６と一体に形成してもよいし、ＡＦ−ＭＦ切換リング３２６を形成する材料と別個の材料で第１摩擦面３２６ｆを含む第１摩擦部材を形成し、次いで、接着などにより第１摩擦部材をＡＦ−ＭＦ切換リング３２６に固定してもよい。同様に、第２摩擦面３４０ｆを連結部材３４０と一体に形成してもよいし、連結部材３４０を形成する材料と別個の材料で第２摩擦面３４０ｆを含む第２摩擦部材を形成し、次いで、接着などにより第２摩擦部材を連結部材３４０に固定してもよい。
【００４１】
（４）第４の実施の形態
次に、本発明のオートフォーカスカメラ用の撮影レンズの第４の実施の形態を説明する。以下の説明は、本発明のオートフォーカスカメラ用の撮影レンズの第４の実施形態が本発明のオートフォーカスカメラ用の撮影レンズの第２の実施形態と異なる点を主に述べる。したがって、以下に記載がない個所は、前述した本発明のオートフォーカスカメラ用の撮影レンズの第２の実施形態についての説明をここに準用する。
図７を参照すると、撮影レンズ４００において、フォーカス操作部材４２０は、フォーカスリング２２２と、フォーカスリング２２２の一部分の外周部に固定されたクリック受環２３０と、フォーカスリング２２２の一部分の内周部に配置された第１連結部材４２６と、第１連結部材４２６をフォーカスリング２２２に対して固定するための取付部材２２８とを含む。第１連結部材４２６は、例えば、ＮＢＲ、ＮＥのようなゴムで形成されるのがよい。
【００４２】
第１摩擦面４２６ｆが第１連結部材４２６の後方の端面に設けられる。第１摩擦面４２６ｆは光軸２１８に直交するように形成される。第２連結部材４４０が、光軸２１８を中心として回転可能に設けられる。第２連結部材４４０はフォーカシング機構２１０に連動するように構成される。第２摩擦面４４０ｆが第２連結部材４４０の前方の端面に設けられる。第２摩擦面４４０ｆは光軸２１８に直交するように形成される。例えば、第２摩擦面４４０ｆはポリカーボネートのような材料で形成するのがよい。第２摩擦面４４０ｆを第２連結部材４４０と一体に形成してもよいし、第２連結部材４４０を形成する材料と別個の材料で第２摩擦面４４０ｆを含む第２摩擦部材を形成し、次いで、接着などにより第２摩擦部材を第２連結部材４４０に固定してもよい。
【００４３】
オートフォーカスモードにおいて、第２摩擦面２４０ｆは、第１摩擦面４２６ｆから離れるように配置される。オートフォーカスモードからマニュアルフォーカスモードに切り換えると、第１摩擦面４２６ｆと第２摩擦面４４０ｆが迅速に連結される。マニュアルフォーカスモードに切り換えて、フォーカス操作部材４２０を回転させることにより、直ちにフォーカシング機構を作動させることができる。マニュアルフォーカスモードにおいて、第１摩擦面４２６ｆを第２摩擦面４４０ｆに対して付勢する付勢力は、例えば、４５０ｇ〜５５０ｇであるのがよい。
【図面の簡単な説明】
【図１】本発明のオートフォーカスカメラ用の撮影レンズの第１の実施の形態において、オートフォーカスモードにおける撮影レンズの上半部を示す部分断面図である。
【図２】本発明のオートフォーカスカメラ用の撮影レンズの第１の実施の形態において、オートフォーカスモードにおける図１の２Ａの部分を示す部分断面図である。
【図３】マニュアルフォーカスモードにおける撮影レンズの図２に対応する部分を示す部分断面図である。
【図４】本発明のオートフォーカスカメラ用の撮影レンズの第２の実施の形態において、オートフォーカスモードにおける撮影レンズの上半部の一部分を示す部分断面図である。
【図５】本発明のオートフォーカスカメラ用の撮影レンズの第２の実施の形態において、マニュアルフォーカスモードにおける撮影レンズの上半部の一部分を示す部分断面図である。
【図６】本発明のオートフォーカスカメラ用の撮影レンズの第３の実施の形態において、オートフォーカスモードにおける撮影レンズの上半部の一部分を示す部分断面図である。
【図７】本発明のオートフォーカスカメラ用の撮影レンズの第４の実施の形態において、オートフォーカスモードにおける撮影レンズの上半部の一部分を示す部分断面図である。
【符号の説明】
１００　　撮影レンズ
１０２　　撮影レンズ系
１０４　　撮影レンズ鏡筒部
１１０　　フォーカシング機構
１１２　　レンズマウント部
１１４　　内筒
１１６　　外筒
１１８　　光軸
１２０　　フォーカス操作部材
１２２　　フォーカスリング
１２４　　フォーカス操作リング
１２６　　ＡＦ−ＭＦ切換リング
１２６ｆ　第１摩擦面
１３０　　クリック受環
１３２　　第１溝部
１３４　　第２溝部
１４０　　連結部材
１４０ｆ　第２摩擦面
１５０　　クリックボール
１５２　　加圧ばね
１５４　　加圧ばね止めねじ
１５６　　突当部材
２００　　撮影レンズ
２０２　　撮影レンズ系
２０４　　撮影レンズ鏡筒部
２１０　　フォーカシング機構
２１４　　内筒
２１６　　外筒
２１８　　光軸
２２０　　フォーカス操作部材
２２２　　フォーカスリング
２３０　　クリック受環
２２６　　第１連結部材
２２６ｆ　第１摩擦面
２２８　　取付部材
２３２　　第１溝部
２３４　　第２溝部
２３６　　固定筒
２３８　　外装部材
２４０　　第２連結部材
２４０ｆ　第２摩擦面
２５０　　クリックボール部材
２５２　　クリックばね
２５４　　クリックボール
３００　　撮影レンズ
３２０　　フォーカス操作部材
３２６　　ＡＦ−ＭＦ切換リング
３２６ｆ　第１摩擦面
３４０　　連結部材
３４０ｆ　第２摩擦面
４００　　撮影レンズ
４２０　　フォーカス操作部材
４２６　　第１連結部材
４２６ｆ　第１摩擦面
４４０　　第２連結部材
４４０ｆ　第２摩擦面
【図１】
2004069763.tif 000003
【図２】
2004069763.tif 000004
【図３】
2004069763.tif 000005
【図４】
2004069763.tif 000006
【図５】
2004069763.tif 000007
【図６】
2004069763.tif 000008
【図７】
2004069763.tif 000009